(57)【要約】      （修正有） 【課題】画像管理が容易な画像記録装置、画像再生装置及び画像記録再生装置を提供する。【解決手段】検索可能なシーンとしてあらかじめ設定されたシーンの中から検索対象とするシーンを選択し、検索を実行すると、そのシーンの検索条件が読み出され、その検索条件に適合する画像ファイルが検索される。そして、検索された画像ファイルがモニタに再生表示される。【選択図】図８
2005210411.tif 000002
【特許請求の範囲】
【請求項１】
画像データと共に撮影データが格納された画像ファイルを該画像ファイルが記録された記録メディアから読み出し、モニタに再生表示する画像再生装置において、
あらかじめ設定された複数のシーンの中から検索対象とするシーンを選択するシーン選択手段と、
前記画像ファイルに格納され撮影データに基づいて前記シーン選択手段で選択可能なシーンごとに設定された検索条件が記憶された検索条件記憶手段と、
前記シーン選択手段で選択されたシーンの検索条件を前記検索条件記憶手段から取得し、該検索条件に適合する画像ファイルを前記記録メディアに記録されている画像ファイルの中から検索する検索手段と、
前記検索手段で検索された画像ファイルを前記記録メディアから読み出し、前記モニタに再生表示させる再生制御手段と、
を備えたことを特徴とする画像再生装置。
【請求項２】
撮像素子から得られた画像データに撮影時の撮影データを付加した画像ファイルを作成し、記録メディアの記録領域に作成された所定のフォルダに格納する画像記録装置において、
前記記録メディアの記録領域にあらかじめ作成された複数のフォルダの中から撮影により得られた画像ファイルの格納先の候補とするフォルダを選択するフォルダ選択手段と、
前記画像ファイルに付加される撮影データに基づき前記フォルダ選択手段で選択可能なフォルダごとに設定された格納条件が記憶された格納条件記憶手段と、
前記フォルダ選択手段で選択されたフォルダの格納条件を前記格納条件記憶手段から取得するとともに、撮影により得られた画像ファイルの撮影データを取得し、撮影により得られた画像ファイルの撮影データが、前記フォルダ選択手段で選択されたフォルダの格納条件を満たすか否か判定する判定手段と、
前記判定手段が撮影により得られた画像ファイルの撮影データが、前記フォルダ選択手段で選択されたフォルダの格納条件を満たすと判定した場合に画像ファイルの格納先を前記フォルダ選択手段で選択されたフォルダに設定し、満たさないと判定した場合に画像ファイルの格納先を規定のフォルダに設定する格納先設定手段と、
前記格納先設定手段で設定されたフォルダに撮影により得られた画像ファイルを記録させる記録制御手段と、
を備えたことを特徴とする画像記録装置。
【請求項３】
撮像素子から得られた画像データに撮影時の撮影データを付加した画像ファイルを作成し、記録メディアの記録領域に作成された所定のフォルダに格納する画像記録機能と、前記記録メディアから画像ファイルを読み出し、モニタに再生表示する画像再生機能とを備えた画像記録装置において、
あらかじめ設定された複数のシーンの中から検索対象とするシーンを選択するシーン選択手段と、
前記画像ファイルに格納され撮影データに基づいて前記シーン選択手段で選択可能なシーンごとに設定された検索条件が記憶された検索条件記憶手段と、
前記シーン選択手段で選択されたシーンの検索条件を前記検索条件記憶手段から取得し、該検索条件に適合する画像ファイルを前記記録メディアに記録されている画像ファイルの中から検索する検索手段と、
前記検索手段で検索された画像ファイルを前記記録メディアから読み出し、前記モニタに再生表示させる再生制御手段と、
前記記録メディアの記録領域にあらかじめ作成された複数のフォルダの中から撮影により得られた画像ファイルの格納先の候補とするフォルダを選択するフォルダ選択手段と、
前記画像ファイルに付加される撮影データに基づき前記フォルダ選択手段で選択可能なフォルダごとに設定された格納条件が記憶された格納条件記憶手段と、
前記フォルダ選択手段で選択されたフォルダの格納条件を前記格納条件記憶手段から取得するとともに、撮影により得られた画像ファイルの撮影データを取得し、撮影により得られた画像ファイルの撮影データが、前記フォルダ選択手段で選択されたフォルダの格納条件を満たすか否か判定する判定手段と、
前記判定手段が撮影により得られた画像ファイルの撮影データが、前記フォルダ選択手段で選択されたフォルダの格納条件を満たすと判定した場合に画像ファイルの格納先を前記フォルダ選択手段で選択されたフォルダに設定し、満たさないと判定した場合に画像ファイルの格納先を規定のフォルダに設定する格納先設定手段と、
前記格納先設定手段で設定されたフォルダに撮影により得られた画像ファイルを記録させる記録制御手段と、
を備えたことを特徴とする画像記録装置。
【請求項４】
前記画像ファイルに付加される撮影データに基づき設定された各フォルダへの画像ファイルの分類基準が記憶された分類基準記憶手段を備え、
前記フォルダ選択手段は、画像ファイルの格納先の候補とするフォルダを複数選択可能であり、前記格納先設定手段は、撮影により得られた画像ファイルの撮影データが、前記フォルダ選択手段で複数選択された全てのフォルダの格納条件を満たすと前記判定手段で判定された場合、前記分類基準に基づき画像ファイルの格納先を設定することを特徴とする請求項２又は３に記載の画像記録装置。
【発明の詳細な説明】
【技術分野】
【０００１】
本発明は画像再生装置及び画像記録装置に係り、特に画像ファイルの管理機能を備えた画像再生装置及び画像記録装置に関する。
【背景技術】
【０００２】
一般にデジタルカメラで撮影された画像データは、メモリカード等の交換可能な記録メディアに記録される。近年、記録メディアの容量は増加傾向にあり、１つの記録メディアに膨大な量の画像データを記録できるようになっている。
【０００３】
しかし、このように１つの記録メディアに記録される画像データの量が多くなると、画像再生時に目的とする画像データを探し出すのに時間がかかるという問題がある。
【０００４】
そこで、特許文献１では、記録画像の撮影条件、重要度及び利用頻度を数値評価して画像番号と対応させて登録しておき、検索時には検索指示画面を表示して撮影条件、重要度又は利用頻度を検索条件として指定し、登録された撮影条件、重要度又は利用頻度をサーチして一致する画像を順次取り出して表示することが提案されている。
【０００５】
また、特許文献２では、カメラ内に種々のセンサを設け、そのセンサで検出された情報に基づいてキーワード情報を作成し、撮影画像に対応付けて記録し、画像検索時は、その作成したキーワード情報に基づいて対応する画像を検索することが提案されている。
【特許文献１】特開平１１−２１５４５１号公報
【特許文献２】特開平５−２５２４３２号公報
【発明の開示】
【発明が解決しようとする課題】
【０００６】
しかしながら、特許文献１では、画像検索時に撮影条件等を具体的に指定して検索しなければならないため、検索条件を覚えておく必要があり、誰もが簡単に使いこなすことができないという欠点がある。
【０００７】
また、特許文献２では、キーワード情報を作成するためのセンサをカメラに設置しなければならず、部品点数が増加するという欠点がある。また、画像記録に際してキーワード情報を作成しなければならないという欠点もある。
【０００８】
本発明は、このような事情に鑑みてなされたもので、画像管理が容易な画像再生装置及び画像記録装置を提供することを目的とする。
【課題を解決するための手段】
【０００９】
請求項１に係る発明は、前記目的を達成するために、画像データと共に撮影データが格納された画像ファイルを該画像ファイルが記録された記録メディアから読み出し、モニタに再生表示する画像再生装置において、あらかじめ設定された複数のシーンの中から検索対象とするシーンを選択するシーン選択手段と、前記画像ファイルに格納され撮影データに基づいて前記シーン選択手段で選択可能なシーンごとに設定された検索条件が記憶された検索条件記憶手段と、前記シーン選択手段で選択されたシーンの検索条件を前記検索条件記憶手段から取得し、該検索条件に適合する画像ファイルを前記記録メディアに記録されている画像ファイルの中から検索する検索手段と、前記検索手段で検索された画像ファイルを前記記録メディアから読み出し、前記モニタに再生表示させる再生制御手段と、を備えたことを特徴とする画像再生装置を提供する。
【００１０】
本発明によれば、シーン選択手段によって検索対象とするシーンを選択すると、そのシーンの検索条件が検索条件記憶手段から読み出され、その検索条件に適合する画像ファイルが検索手段で検索される。そして、検索された画像ファイルがモニタに再生表示される。このようにシーンを選択することで対象とする画像を簡単に検索することができ、管理が容易になる。
【００１１】
また、請求項２に係る発明は、前記目的を達成するために、撮像素子から得られた画像データに撮影時の撮影データを付加した画像ファイルを作成し、記録メディアの記録領域に作成された所定のフォルダに格納する画像記録装置において、前記記録メディアの記録領域にあらかじめ作成された複数のフォルダの中から撮影により得られた画像ファイルの格納先の候補とするフォルダを選択するフォルダ選択手段と、前記画像ファイルに付加される撮影データに基づき前記フォルダ選択手段で選択可能なフォルダごとに設定された格納条件が記憶された格納条件記憶手段と、前記フォルダ選択手段で選択されたフォルダの格納条件を前記格納条件記憶手段から取得するとともに、撮影により得られた画像ファイルの撮影データを取得し、撮影により得られた画像ファイルの撮影データが、前記フォルダ選択手段で選択されたフォルダの格納条件を満たすか否か判定する判定手段と、前記判定手段が撮影により得られた画像ファイルの撮影データが、前記フォルダ選択手段で選択されたフォルダの格納条件を満たすと判定した場合に画像ファイルの格納先を前記フォルダ選択手段で選択されたフォルダに設定し、満たさないと判定した場合に画像ファイルの格納先を規定のフォルダに設定する格納先設定手段と、前記格納先設定手段で設定されたフォルダに撮影により得られた画像ファイルを記録させる記録制御手段と、を備えたことを特徴とする画像記録装置を提供する。
【００１２】
本発明によれば、フォルダ選択手段によってフォルダを選択して撮影すると、その撮影により得られた画像ファイルが、選択されたフォルダに格納可能か判定され、格納可能と判定されれば、選択されたフォルダに格納される。すなわち、各フォルダには格納条件が設定されており、設定された格納条件を満たせば、選択されたフォルダに格納され、満たさなければ、規定のフォルダに格納される。このように、フォルダ選択手段でフォルダを選択するだけで、撮影により得られた画像ファイルが自動で分類されて記録されるため、画像の管理が容易になる。
【００１３】
また、請求項３に係る発明は、前記目的を達成するために、撮像素子から得られた画像データに撮影時の撮影データを付加した画像ファイルを作成し、記録メディアの記録領域に作成された所定のフォルダに格納する画像記録機能と、前記記録メディアから画像ファイルを読み出し、モニタに再生表示する画像再生機能とを備えた画像記録装置において、あらかじめ設定された複数のシーンの中から検索対象とするシーンを選択するシーン選択手段と、前記画像ファイルに格納され撮影データに基づいて前記シーン選択手段で選択可能なシーンごとに設定された検索条件が記憶された検索条件記憶手段と、前記シーン選択手段で選択されたシーンの検索条件を前記検索条件記憶手段から取得し、該検索条件に適合する画像ファイルを前記記録メディアに記録されている画像ファイルの中から検索する検索手段と、前記検索手段で検索された画像ファイルを前記記録メディアから読み出し、前記モニタに再生表示させる再生制御手段と、前記記録メディアの記録領域にあらかじめ作成された複数のフォルダの中から撮影により得られた画像ファイルの格納先の候補とするフォルダを選択するフォルダ選択手段と、前記画像ファイルに付加される撮影データに基づき前記フォルダ選択手段で選択可能なフォルダごとに設定された格納条件が記憶された格納条件記憶手段と、前記フォルダ選択手段で選択されたフォルダの格納条件を前記格納条件記憶手段から取得するとともに、撮影により得られた画像ファイルの撮影データを取得し、撮影により得られた画像ファイルの撮影データが、前記フォルダ選択手段で選択されたフォルダの格納条件を満たすか否か判定する判定手段と、前記判定手段が撮影により得られた画像ファイルの撮影データが、前記フォルダ選択手段で選択されたフォルダの格納条件を満たすと判定した場合に画像ファイルの格納先を前記フォルダ選択手段で選択されたフォルダに設定し、満たさないと判定した場合に画像ファイルの格納先を規定のフォルダに設定する格納先設定手段と、前記格納先設定手段で設定されたフォルダに撮影により得られた画像ファイルを記録させる記録制御手段と、を備えたことを特徴とする画像記録装置を提供する。
【００１４】
本発明によれば、フォルダ選択手段によってフォルダを選択して撮影すると、その撮影により得られた画像ファイルが、選択されたフォルダに格納可能か判定され、格納可能と判定されれば、選択されたフォルダに格納される。また、シーン選択手段によって検索対象とするシーンを選択すると、そのシーンに設定された検索条件に適合する画像ファイルが検索され、モニタに再生表示される。
【００１５】
また、請求項４に係る発明は、前記目的を達成するために、前記画像ファイルに付加される撮影データに基づき設定された各フォルダへの画像ファイルの分類基準が記憶された分類基準記憶手段を備え、前記フォルダ選択手段は、画像ファイルの格納先の候補とするフォルダを複数選択可能であり、前記格納先設定手段は、撮影により得られた画像ファイルの撮影データが、前記フォルダ選択手段で複数選択された全てのフォルダの格納条件を満たすと前記判定手段で判定された場合、前記分類基準に基づき画像ファイルの格納先を設定することを特徴とする請求項２又は３に記載の画像記録再生装置を提供する。
【００１６】
本発明によれば、画像ファイルの格納先の候補とするフォルダを複数選択することができる。そして、撮影により得られた画像ファイルの撮影データが、フォルダ選択手段で複数選択された全てのフォルダの格納条件を満たす場合は、分類基準に基づき格納先を設定される。
【発明の効果】
【００１７】
本発明に係る画像再生装置及び画像記録装置によれば、画像ファイルの管理が容易になる。
【発明を実施するための最良の形態】
【００１８】
以下、添付図面に従って本発明に係る画像再生装置及び画像記録装置を実施するための最良の形態について説明する。
【００１９】
図１、図２は、それぞれ本発明が適用されたデジタルカメラ１０の一実施形態を示す正面斜視図と背面斜視図である。
【００２０】
カメラボディ１２の正面には、図１に示すように、レンズ１４、ストロボ１６、ファインダ窓１８、セルフタイマランプ２０等が設けられている。また、カメラボディ１２の右側面にはＵＳＢ端子２２、電源端子２４等が設けられており、上面にはレリーズボタン２６、電源ボタン２８等が設けられている。
【００２１】
一方、カメラボディ１２の背面には、図２に示すように、モニタ３０、ファインダ接眼部３２、ストロボボタン３４、マクロボタン３６、ズームレバー３８、表示ボタン４０、メニュー／ＯＫボタン４２、ＢＡＣＫボタン４４、十字ボタン４６、モードスイッチ４８等が設けられている。
【００２２】
なお、図示しないカメラボディの底面には、バッテリ／メディアカバーが開閉自在に設けられている。このバッテリ／メディアカバーを開くと、バッテリを装填するためのバッテリ室及び記録メディアであるメモリカードを装着するためのメディアスロットが設けられている。
【００２３】
レリーズボタン２６は、半押しと全押しとからなる２段ストローク式のスイッチで構成されており、このレリーズボタン２６の半押しでカメラはＡＥ／ＡＦが作動し、全押しで撮影が実行される。
【００２４】
モニタ３０は、カラー表示可能な液晶ディスプレイで構成されており、記録済み画像の表示画面として利用されるとともに、ユーザインターフェースの表示画面として利用される。また、撮影時には画角確認用の電子ファインダとしても使用される。表示ボタン４０は、このモニタ３０に表示される内容の切り替えを指示するボタンとして機能する。
【００２５】
ストロボボタン３４は、ストロボモードの切り替えを指示するボタンとして機能し、このストロボボタン３４を１回押すごとに撮影中のストロボモードが「オートストロボ」→「赤目軽減ストロボ」→「強制発光ストロボ」→「スローシンクロ」→「ストロボ発光禁止」と切り替えられる。
【００２６】
マクロボタン３６は、マクロ機能のＯＮ／ＯＦＦの切り替えを指示するボタンとして機能し、このマクロボタン３６を１回押すごとに撮影中のマクロ機能のＯＮ／ＯＦＦが切り替えられる。
【００２７】
ズームレバー３８は、撮影時に撮影画像のズーム（テレ／ワイド）を指示するボタンとして機能するとともに、再生時に表示画像のズーム（拡大／縮小）を指示するボタンとして機能する。このズームレバー３８は、上下方向に揺動自在に設けられており、上方向に操作することにより、ズームがテレ側に操作され、下方向に操作することにより、ズームがワイド側に操作される。
【００２８】
メニュー／ＯＫボタン４２は、各モードの通常画面からメニュー画面への遷移を指示するボタン（メニューボタン）として機能するとともに、選択内容の確定、実行を指示するボタン（ＯＫボタン）として機能し、ＢＡＣＫボタン４４は、入力操作のキャンセル等を指示するボタンとして機能する。
【００２９】
十字ボタン４６は、上下左右４方向の指示を入力するボタンとして機能し、メニュー画面などで所望の項目の選択などに使用する。
【００３０】
モードスイッチ４８は、カメラのモードを設定するスイッチとして機能し、このモードスイッチ４８をスライド操作することにより、カメラのモードが「撮影モード」又は「再生モード」に設定される。
【００３１】
図３は、図１及び図２に示したデジタルカメラ１０の内部の回路構成を示すブロック図である。
【００３２】
デジタルカメラ１０は、全体の動作を中央処理装置（ＣＰＵ）１００によって統括制御される。ＣＰＵ１００は、操作部１１２（レリーズボタン２６、電源ボタン２８、ストロボボタン３４、マクロボタン３６、ズームレバー３８、表示ボタン４０、メニュー／ＯＫボタン４２、ＢＡＣＫボタン４４、十字ボタン４６、モードスイッチ４８等）からの入力情報に基づき所定のプログラムに従って各ブロックを制御する。
【００３３】
バス１０２を介してＣＰＵ１００と接続されたＲＯＭ１０４には、このＣＰＵ１００が実行するプログラム及び制御に必要な各種データ等が格納されており、ＥＥＰＲＯＭ１０６には、デジタルカメラ１０の動作に関する各種設定情報等が格納されている。また、メモリ（ＳＤＲＡＭ）１０８は、ＣＰＵ１００の演算作業用領域として利用されるとともに、画像データ等の一時記憶領域として利用され、ＶＲＡＭ１１０は、画像データ専用の一時記憶領域として利用される。
【００３４】
モードスイッチ４８でカメラのモードを「撮影モード」に設定し、電源ボタン２８でカメラの電源を投入すると、ＲＯＭ１０４に格納されている撮影制御プログラムがロードされ、デジタルカメラ１０は撮影が可能になる。
【００３５】
レンズ１４を通過した被写体光は、絞り／シャッタユニット１１８を介して撮像素子１２４の受光面に結像される。
【００３６】
撮像素子１２４はＣＣＤであり、その受光面には多数のフォトダイオードが二次元的に配列されている。ＣＣＤ１２４の受光面に結像した被写体光は、各フォトダイオードによって入射光量に応じた量の信号電荷に変換される。ＣＣＤ１２４の各フォトダイオードに蓄積された信号電荷は、タイミングジェネレータ（ＴＧ）１２６から加えられる駆動パルスに基づいて信号電荷に応じた電圧信号（画像信号）として順次読み出される。
【００３７】
なお、このＣＣＤ１２４には、各フォトダイオードの電荷蓄積時間（シャッタスピード）を制御する電子シャッタの機能が備えられており、ＣＰＵ１００は、タイミングジェネレータ１２６を介してＣＣＤ１２４の電荷蓄積時間を制御する。
【００３８】
ＣＣＤ１２４から出力された画像信号は、アナログ信号処理回路（ＣＤＳ／ＡＭＰ）１２８に加えられる。アナログ信号処理回路１２８は、ＣＣＤ１２４から読み出された各画素ごとのＲ、Ｇ、Ｂ信号をサンプリングホールド（相関二重サンプリング処理）したのち、所定の信号レベルに増幅し、Ａ／Ｄ変換器１３０に出力する。
【００３９】
Ａ／Ｄ変換器１３０は、アナログ信号処理回路１２８から出力されたアナログの画像信号をデジタル信号に変換し、Ａ／Ｄ変換されたデジタルの画像信号は、画像入力コントローラ１３２を介してメモリ１０８に格納される。
【００４０】
画像信号処理回路１３４は、ＣＰＵ１００からの指令に従ってメモリ１０８に格納された画像信号に対してオフセット処理、ホワイトバランス補正及び感度補正を含むゲイン・ コントロール処理、ガンマ補正処理等の所定の信号処理を行い、輝度信号（Ｙ信号）及び色差信号（Ｃr,Ｃb 信号）に変換する。
【００４１】
ＣＣＤ１２４で捉えた画像をモニタ３０に表示する場合には、画像信号処理回路１３４で処理された画像データをＶＲＡＭ１１０に格納する。ＶＲＡＭ１１０に格納された画像データは文字ＭＩＸ回路１５２を介してビデオエンコーダ１３６に加えられ、ビデオエンコーダ１３６で表示用のビデオ信号に変換されたのちモニタ３０に出力される。これにより、ＣＣＤ１２４で捉えた画像がモニタ３０に表示される。
【００４２】
ＣＣＤ１２４から画像信号を定期的に取り込み、その画像信号から生成される画像データによってＶＲＡＭ１１０内の画像データを定期的に書き換え、ビデオエンコーダ１３６を介して連続的にモニタ３０に出力することにより、ＣＣＤ１２４で捉えた画像がリアルタイムに表示される。撮影者は、このモニタ３０にリアルタイムに表示される画像（スルー画像）を見ることにより、モニタ３０を画角確認用のビューファインダとして使用することができるようになる。
【００４３】
なお、文字ＭＩＸ回路１５２は、ＣＰＵ１１０からのコマンドに従いメモリ１０８から加えられる文字や記号、図形等のデータとＶＲＡＭ１１０から加えられる画像データとを合成してビデオエンコーダ１３６に出力する。これにより、文字や記号、図形等の情報が画像に重ねられてモニタ３０に表示される。
【００４４】
撮影モードに設定された状態でレリーズボタン２６が半押しされると、操作部１１２からＣＰＵ１００にＳ１オン信号が入力される。ＣＰＵ１００は、このＳ１ＯＮ信号に応動してＡＥ／ＡＦ処理を開始する。
【００４５】
まず、画像入力コントローラ１３２を介してＣＣＤ１２４から取り込まれた画像信号がＡＥ／ＡＷＢ検出回路１３８並びにＡＦ検出回路１４０に入力される。
【００４６】
ＡＥ／ＡＷＢ検出回路１３８は、１画面を複数のエリア（例えば、１６×１６）に分割し、分割エリアごとにＲ、Ｇ、Ｂ信号を積算する回路を含み、その積算値をＣＰＵ１００に提供する。ＣＰＵ１００は、ＡＥ／ＡＷＢ検出回路１３８から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタスピードを決定し、これに従いＣＣＤ１２４の電子シャッタと絞り駆動部１４２を制御して適正な露光量を得る。
【００４７】
また、ＡＥ／ＡＷＢ検出回路１３８は、自動ホワイトバランス調整時、分割エリアごとにＲ、Ｇ、Ｂ信号の色別の平均積算値を算出し、その算出結果をＣＰＵ１００に提供する。ＣＰＵ１００は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００４８】
ＡＦ検出回路１４０は、高周波成分抽出回路と積算回路とを含み、入力される画像信号のうちＧ成分のデータをサンプリングして所定のフォーカスエリア内での高周波成分を抽出する。そして、その絶対値をとり、設定されたエリア内で絶対値データを積算して得られた値（評価値）をＣＰＵ１００に通知する。ＣＰＵ１００は、レンズ駆動部１４４を制御してフォーカスレンズを移動させながら、複数のＡＦ検出ポイントで評価値を演算し、評価値が極大となるレンズ位置を合焦位置として決定する。そして、求めた合焦位置にフォーカスレンズが移動するようにレンズ駆動部１４４を制御する。
【００４９】
以上のように、レリーズボタン２６の半押しされると、ＣＰＵ１００はＡＥ／ＡＦ処理を行なう。この後、レリーズボタン２６が全押しされると、ＣＰＵ１００にＳ２オン信号が入力され、ＣＰＵ１００は、このＳ２オン信号に応動して、撮影、記録処理を開始する。
【００５０】
まず、１コマ分の画像信号がＣＣＤ１２４からアナログ信号処理回路１２８、Ａ／Ｄ変換器１３０、画像入力コントローラ１３２を介してメモリ１０８に取り込まれる。メモリ１０８に取り込まれた画像データは、画像信号処理回路１３４で所定の画像処理を施されたのち再びメモリ１０８に格納され、その後、圧縮伸張処理回路１４６で所定の圧縮フォーマット（ここでは、ＪＰＥＧ形式とする）で圧縮される。そして、再びメモリ１０８に格納された後、メディアコントローラ１４８を介して所定の画像ファイルフォーマット（ここでは、Ｅｉｘｆ形式とする）の画像ファイルとしてメモリカード１５０に記録される。
【００５１】
なお、図４に示すように、Ｅｘｉｆ形式の画像ファイルは、付属情報を画像ファイルヘッダ部にタグ形式で記録することができる。付属情報タグには、図５に示すように、バージョンに関する情報や画像データの特性に関する情報、構造に関する情報、ユーザ情報、関連ファイル情報、日時に関する情報、撮影条件に関する情報、ＩＦＤへのポインタに関する情報等の撮影した画像に関する撮影データがタグ形式で記録される。
【００５２】
ここで、ユーザ情報に関するタグであるメーカノートには、メーカが個別の情報を記入することができるようにされており、また、ユーザコメントには、ユーザがキーワードやコメントを書き込むことができるようにされている。
【００５３】
また、撮影条件に関するタグには、図５に別表で示すように、撮影時の露出時間やＦナンバー、露出プログラム、スペクトル感度、ＩＳＯスピードレート、光電変換関数、シャッタスピード、絞り値、輝度値、露出補正値、レンズ最小Ｆ値、被写体距離、測光方式、光源、フラッシュ、レンズ焦点距離、フラッシュ強度、空間周波数応答、焦点面の幅の解像度、焦点面の高さの解像度、焦点面解像度単位、被写体位置、露出インデックス、センサー方式、ファイルソース、シーンタイプ、ＣＦＡパターン等が記録できるようにされている。
【００５４】
撮影された画像データは、これらの付属情報が付されたＥｉｘｆ形式の画像ファイルとしてメモリカード１５０に記録される。
【００５５】
また、画像ファイルは、メモリカード１５０に記録する際、所定の記録フォーマット（ここでは、ＤＣＦ形式）に従ってメモリカード１５０に記録される。すなわち、図６に示すように、メモリカード１５０の記録領域に階層的に作成されたフォルダのＤＣＦフォルダ内に格納される。
【００５６】
ここで、ＤＣＦフォルダは、ＤＣＦイメージルートフォルダの直下に作成され、ＤＣＦイメージルートフォルダは、ルートフォルダの直下に作成される。ＤＣＦフォルダは、最大９００作成することができ、各ＤＣＦフォルダ内には９９９９枚の画像ファイルを格納することができる。
【００５７】
図６に示す例では、「ＤＣＩＭ」というフォルダ名のＤＣＦイメージルートフォルダの直下に「１００＿ＦＵＪＩ」、「１０１＿ＦＵＪＩ」、「１０２＿ＦＵＪＩ」というフォルダ名のＤＣＦフォルダが作成されている。
【００５８】
なお、各ＤＣＦフォルダのフォルダ名の先頭３桁の数字はフォルダ番号であり、連続番号が付与される。
【００５９】
また、各ＤＣＦフォルダに格納される画像ファイルには、アルファベット４文字（ここでは「ＤＳＣＦ」）と４桁のファイル番号とを組み合わせたファイル名が付与される。ファイル番号は、撮影順に連続番号として付与される。
【００６０】
上記のように、デジタルカメラ１０は、カメラのモードを「撮影モード」に設定し、シャッタボタン２６を押すことにより、画像を撮影し、メモリカード１５０に記録することができる。
【００６１】
メモリカード１５０に記録された画像ファイルは、カメラのモードを「再生モード」に設定することにより、モニタ３０に再生表示することができる。
【００６２】
再生モードへの移行は、モードスイッチ４８を「撮影位置」から「再生位置」にスライドさせることにより行なわれ、これにより、ＲＯＭ１０４に格納されている再生制御プログラムがロードされて、メモリカード１５０に格納されている画像ファイルをモニタ３０に再生表示することができる。
【００６３】
まず、メモリカード１５０に最後に記録された画像ファイルの画像データが読み出される。メモリカード１５０から読み出された画像データは、圧縮伸張処理回路１４６に加えられ、非圧縮のＹＣ信号に伸張されたのち、ビデオエンコーダ１３６を介してモニタ３０に出力される。これにより、メモリカード１５０に最後に記録された画像ファイルがモニタ３０に再生表示される。
【００６４】
画像のコマ送りは、十字ボタン４６で行なわれ、十字ボタン４６の右キーが押されると、画像が順コマ送りされ、左キーが押されると、画像が逆コマ送りされる。すなわち、十字ボタン４６の右キーが押されると、その操作信号がＣＰＵ１００に出力され、ＣＰＵ１００は、再生中の画像の次のファイル番号の画像データ（再生中の画像が最終ファイル番号の画像の場合は先頭ファイル番号の画像データ）をメモリカード１５０から読み出し、モニタ３０に再生表示される。同様に十字ボタン４６の左キーが押されると、その操作信号がＣＰＵ１００に出力され、ＣＰＵ１００は、再生中の画像の前のファイル番号の画像データ（再生中の画像が先頭ファイル番号の画像の場合は最終ファイル番号の画像データ）をメモリカード１５０から読み出し、モニタ３０に再生表示される。
【００６５】
このように、十字ボタン４６の右キーと左キーの操作で画像の順コマ送り、逆コマ送りが行なわれ、メモリカード１５０に記録されている画像の再生を行なうことができる。
【００６６】
さて、上記のように、本実施の形態のデジタルカメラ１０は、画像の記録・再生を行なうことができるが、この画像の記録・再生機能に加えてメモリカード１５０に記録されている画像ファイルの検索機能を備えている。
【００６７】
以下、本実施の形態のデジタルカメラ１０に備えられた画像ファイルの検索機能について説明する。
【００６８】
本実施の形態のデジタルカメラ１０の画像ファイル検索システムは、あらかじめ用意された複数のシーンの中から検索したいシーンを選択すると、そのシーンの撮影条件に適合する画像ファイルを検索するというものである。
【００６９】
たとえば、検索可能なシーンとして、「人物」、「風景」、「夜景」、「ストロボ」、「屋内撮影」、「屋外撮影」、「晴天」の６つのシーンが用意されており、この中で「ポートレート」を選択したとすると、「ポートレート」の撮影条件に適合する画像ファイルが検索される。あらかじめ用意された７つのシーンには、それぞれ個別に撮影条件が設定されており、その設定された撮影条件を検索条件として検索が行なわれる。
【００７０】
この画像検索の機能は再生メニューから呼び出される。すなわち、再生モードの下でメニュー／ＯＫボタン４２を押すと、図７（ａ）に示すように、モニタ３０に再生メニューが表示され、この再生メニューの中から「画像検索」の項目を選択することにより、画像検索の機能が呼び出される。
【００７１】
なお、メニュー項目の選択は、十字ボタン４６でカーソル（図７に示す例では、選択した項目が白黒反転する）を移動させることにより行なわれ、選択したメニュー項目の確定は、メニュー／ＯＫボタン４２を押すことにより行なわれる。
【００７２】
再生メニューの中から画像検索の項目が選択されると、図７（ｂ）に示すように、画像検索の画面がモニタ３０に表示され、検索可能なシーンが一覧表示される。ここでは、検索可能なシーンとして、「人物」、「風景」、「夜景」、「ストロボ」、「屋内」、「屋外」、「晴天」の７つのシーンが用意されているものとする。ユーザは、このモニタ３０に表示された７つのシーンの中から検索対象とするシーンを選択する。
【００７３】
選択は、十字ボタン４６でカーソル（図７に示す例では、選択した項目が白黒反転する）を移動させることにより行なわれ、選択したシーンの確定は、メニュー／ＯＫボタン４２を押すことにより行なわれる。
【００７４】
検索シーンが選択されると、図７（ｃ）に示すように、画像検索の開始確認の画面がモニタ３０表示され、選択した検索シーンととともに、画像検索開始を促すメッセージがモニタ３０に表示される。ユーザは、モニタ３０に表示された内容を確認し、誤りがなければ、メニュー／ＯＫボタン４２を押して検索開始を指示する。ＣＰＵ１００は、この検索開始の指示に応じて設定されたシーンに適合する画像をメモリカード１５０の中から検索する。
【００７５】
図８は、画像検索の処理の手順を示すフローチャートである。同図に示すように、まず、設定された検索シーンに対応する検索条件をＥＥＰＲＯＭ１０６から取得する（ステップＳ１０）。
【００７６】
この検索条件は、図９に示すように、各検索シーンごとに個別に定められており、画像ファイルのヘッダ部に記録される付属情報に基づき設定されている。すなわち、各検索シーンに設定される検索条件は、各検索シーンを撮影するときの一般的な撮影条件が設定されている。たとえば、人物（ポートレート）を撮影する場合は、レンズの焦点距離を長めに設定し（ズームをテレ側に設定し）、絞りを開放付近で撮影するので、検索シーンの「人物」には、検索条件として「絞り値Ｆ４以下」、「焦点距離１１ｍｍ（撮像素子のサイズが１／１．７型の場合）以上」という条件が設定されている。また、たとえば、風景を撮影する場合は、レンズの焦点距離を短めに設定し（ズームをワイド側に設定し）、絞りを絞って撮影するので、検索シーンの「風景」には、検索条件として「絞り値Ｆ８以上」、「焦点距離８ｍｍ（撮像素子のサイズが１／１．７型の場合）未満」という条件が設定されている。
【００７７】
このように、選択可能な検索シーンごとに撮影条件に基づく検索条件が設定され、ＥＥＰＲＯＭ１０６に記録されている。ＣＰＵ１００は、設定された検索シーンに対応する検索条件をＥＥＰＲＯＭ１０６から取得する。
【００７８】
ここでは、たとえば検索シーンに「人物」が選択されたものとし、検索シーン「人物」に対応する検索条件（「絞り値Ｆ４以下」、「焦点距離１１ｍｍ以上」）をＥＥＰＲＯＭ１０６から取得する。
【００７９】
次に、先頭のファイル番号の画像ファイルを選択し（ステップＳ１１）、その画像ファイルのヘッダ部に記録された付属情報から検索に必要な撮影データを読み出す（ステップＳ１２）。ここでは、検索条件に絞り値と焦点距離が設定されているので、絞り値と焦点距離の情報を画像ファイルのヘッダ部に記録された付属情報から読み出す。
【００８０】
そして、読み出した撮影データが検索条件に適合しているか否か判定する（ステップＳ１３）。ここでは、読み出した画像ファイルの絞り値と焦点距離とが、検索条件として設定された「絞り値Ｆ４以下」、「焦点距離１１ｍｍ以上」という条件を満足するか否か判定する。
【００８１】
ここで、たとえば読み出した画像ファイルの絞り値がＦ８で焦点距離が１０ｍｍの場合には、検索条件を満足していないと判定され、絞り値がＦ４で焦点距離が１５ｍｍの場合には、検索条件を満足していると判定される。
【００８２】
そして、検索条件を満足していると判定した場合には、その画像ファイルのファイル名を取得し、メモリ１０８に一時記憶する（ステップＳ１４）。
【００８３】
この後、メモリカード１５０に記録されている全ての画像ファイルの検索が完了したか否か判定され（ステップＳ１５）、完了していない場合は、ステップ１１に戻り、次の画像ファイルの処理を行なう。すなわち、次のファイル番号の画像ファイルを選択し（ステップＳ１１）、その画像ファイルのヘッダ部に記録された付属情報から検索に必要な撮影データを読み出し（ステップＳ１２）、読み出した撮影データが検索条件に適合しているか否か判定する（ステップＳ１３）。
【００８４】
このように、メモリカード１５０に記録されている全ての画像ファイルに対してファイル番号順に撮影データが検索条件に適合するか否か判定処理を行ない、全ての画像ファイルを処理したところで次の処理に移行する。
【００８５】
全ての画像ファイルの判定処理が完了すると、検索条件に適合する画像ファイルの有無を判定し（ステップＳ１６）、適合する画像ファイルがある場合は、図１０（ａ）に示すように、その画像ファイルのサムネイル画像をモニタ３０に一覧表示する（ステップＳ１７）。すなわち、メモリ１０８に一時記憶しておいたファイル名の画像ファイルのサムネイル画像データをメモリカード１５０から読み出し、モニタ３０に一覧表示する。
【００８６】
なお、図１０（ａ）は、６枚の画像ファイルが検索された場合のモニタ３０の表示例を示している。この場合、検索された６枚の画像ファイルのサムネイル画像がファイル番号の若い順に一覧表示されるとともに、検索された画像ファイルの総数が「ヒット数」として表示される（本例の場合「ヒット数  ６」）。
【００８７】
６枚を超える画像ファイルが検索された場合には、たとえば、まず先頭の６枚の画像ファイルのサムネイル画像をモニタ３０に一覧表示させ、十字ボタン４６の操作で画像を１枚ずつスクロールさせるようにする。
【００８８】
モニタ３０には、検索された画像ファイルのサムネイル画像の一覧とともに、その一覧表示されたサムネイル画像の中から任意の一枚を選択するためのカーソルが表示される。このカーソルを拡大表示させたいサムネイル画像の位置まで十字ボタン４６で移動させ、メニュー／ＯＫボタン４２を押すと、そのサムネイル画像が、図１０（ｂ）に示すように、モニタ３０に拡大表示される。この状態でＢＡＣＫボタン４４が押されると、再びサムネイル画像一覧の画面に復帰し、十字ボタン４６の右キー又は左キーが押されると、画像のコマ送りが行なわれる。
【００８９】
なお、ステップＳ１６で適合する画像ファイルがないと判定された場合には、図１０（ｃ）に示すように、適合画像なしとのメッセージ（「適合画像がありません」）がモニタ３０に表示される（ステップＳ１８）。ユーザは、このモニタ３０に表示されたメッセージに基づき検索シーンを変えて再度検索する場合はＢＡＣＫボタン４４を押し、検索を終了する場合は、メニュー／ＯＫボタン４２を押す。
【００９０】
以上説明したように、本実施の形態のデジタルカメラ１０の画像検索システムでは、あらかじめ用意された複数のシーンの中から検索したいシーンを選択すると、そのシーンの撮影データに適合する画像ファイルが自動で検索される。このように、本実施の形態のデジタルカメラ１０では、面倒な検索条件の設定や検索条件の設定に関する知識等を必要としないので、誰もが簡単に目的とする画像ファイルを検索することができる。
【００９１】
なお、本実施の形態では、選択可能な検索シーンとして「人物」、「風景」、「夜景」、「ストロボ」、「屋内」、「屋外」、「晴天」の７項目を挙げているが、選択可能な検索シーンとしてあらかじめ設定しておくシーンは、これに限定されるものではなく、必要に応じて増減してもよい。たとえば、上記の検索シーンのほか、マクロ撮影された画像を検索する「マクロ」や、スポーツ写真のように動きの激しい被写体を撮影した画像を検索する「スポーツ」など必要に応じて選択可能な検索シーンを増減させてもよい。
【００９２】
また、本実施の形態では、選択可能な検索シーンを１つとしているが、複数の検索シーンを選択できるようにしてもよい。たとえば、「人物」と「ストロボ」、「人物」と「晴天」というように、複数の検索シーンを選択できるようにしてもよい。この場合、選択された全ての検索シーンの検索条件を満足する画像ファイルを検索するようにしてもよいし（いわゆる、ＡＮＤ検索）、少なくとも１つの検索シーンの検索条件を満足する画像ファイルを検索するようにしてもよい（いわゆる、ＯＲ検索）。また、ＡＮＤ検索時には、その検索条件を別途規定して、ＥＥＰＲＯＭ１０６に記録しておき、複数の検索シーンが選択された場合は、その別途規定された検索条件を用いて画像ファイルを検索するようにしてもよい。
【００９３】
また、検索結果の表示は、図１０に示す形式のものに限定されるものではなく、検索された画像ファイルのファイル名の一覧表示でもよいし、検索された画像ファイルの総数だけでもよく、使用するモニタの大きさ等に応じて適宜変更することが好ましい。
【００９４】
さらに、図９に示した各検索シーンの検索条件は一例であり、使用するデジタルカメラに応じて適宜変更して設定することが好ましい。この場合、より詳細に検索条件を設定することにより、より精度よく検索シーンに適合する画像を検索することができるようになる。したがって、画像ファイルに付加される撮影データ（撮影時の露出時間やＦナンバー、露出プログラム、スペクトル感度、ＩＳＯスピードレート、光電変換関数、シャッタスピード、絞り値、輝度値、露出補正値、レンズ最小Ｆ値、被写体距離、測光方式、光源、フラッシュ、レンズ焦点距離、フラッシュ強度、空間周波数応答、焦点面の幅の解像度、焦点面の高さの解像度、焦点面解像度単位、被写体位置、露出インデックス、センサー方式、ファイルソース、シーンタイプ、ＣＦＡパターン等）を有効に利用して各検索シーンごとの検索条件を設定することが好ましい。
【００９５】
また、特有の撮影機能を備えたデジタルカメラの場合には、その撮影機能の情報を画像ファイルに付加して、検索に利用するようにしてもよい。
【００９６】
たとえば、被写体ごとに専用の撮影モードを備えたデジタルカメラの場合には、使用した撮影モードの情報を付属情報に記録して、検索条件に利用することができる。
【００９７】
被写体ごとに専用の撮影モードを備えたカメラとは、たとえば、人物撮影では人物撮影モード、風景撮影では風景撮影モード、マクロ撮影ではマクロ撮影モードというように、撮影目的に応じた撮影モードを複数備えたカメラのことであり、撮影に使用した撮影モードの情報を画像ファイルのヘッダ部（たとえば、メーカノート）に記録し、この情報を検索に使用する。
【００９８】
検索への利用は、たとえば、図９に示した「人物」の検索条件に「又は、撮影モードが人物撮影モード」という条件を新たに加えることにより行なう。この場合、検索シーンが「人物」に設定されると、「絞り値Ｆ４以下」、「焦点距離１１ｍｍ以上」という条件を満足するか、あるいは、「撮影モードが人物撮影モード」という条件を満足する画像ファイルが検索される。同様に「風景」の検索条件に「又は、撮影モードが風景撮影モード」という条件を加えた場合には、検索シーンが「風景」に設定されると、「絞り値Ｆ８以上」、「焦点距離８ｍｍ未満」という条件を満足するか、あるいは、「撮影モードが風景撮影モード」という条件を満足する画像ファイルが検索される。
【００９９】
このように、被写体ごとに専用の撮影モードを備えたデジタルカメラにおいては、撮影時に使用した撮影モードの情報を検索条件に利用することができる。
【０１００】
また、たとえば画面の特定のエリアを複数の領域に分割し、それぞれの領域で合焦位置を検出することができるデジタルカメラの場合には、撮影時に分割した各領域での合焦位置の情報を取得し、その情報を付属情報（たとえば、メーカノート）に記録して、検索条件に利用することができる。
【０１０１】
この場合、画面の分割は、たとえば、図１１に示すように、ＣＣＤのイメージエリアの中に設定されたＡＦ積算エリアを縦横８×８に６４分割する。各分割領域で合焦位置の検出は、上述した本実施の形態のデジタルカメラのＡＦ制御時における合焦位置の検出方法と同じである。すなわち、フォーカスレンズを至近端から無限遠端まで移動させながら、複数のＡＦ検出ポイントで各分割エリアの評価値を演算し、各分割領域で評価値が極大となるレンズ位置を合焦位置とする。なお、被写体が低コントラストや低輝度の場合、正しい合焦位置を検出できないことがあるが、この場合は、合焦位置を無限遠位置とする。この各分割エリアごとの合焦位置の情報を撮影時（ＡＦ時）に取得し、撮影された画像データの付属情報（メーカノート）に記録する。
【０１０２】
検索条件への利用は、たとえば、図９に示した「風景」の検索条件に「又は、各分割エリアの合焦位置がｘ以上（ｘは無限遠側の所定の位置）」という条件を新たに加えることにより行なう。この場合、検索シーンが「風景」に設定されると、「絞り値Ｆ８以上」、「焦点距離８ｍｍ未満」という条件を満足するか、あるいは、「各分割エリアの合焦位置がｘ以上」という条件を満足する画像ファイルが検索される。
【０１０３】
また、たとえば、図９に示した「風景」の検索条件に「又は、各分割エリアの合焦位置のバラツキが一定値以下」という条件を新たに加えることにより行なう。この場合、検索シーンが「風景」に設定されると、「絞り値Ｆ８以上」、「焦点距離８ｍｍ未満」という条件を満足するか、あるいは、「各分割エリアの合焦位置のバラツキが一定値以下」という条件を満足する画像ファイルが検索される。
【０１０４】
このように、画面の特定のエリアを複数の領域に分割し、分割した各領域で合焦位置を検出することができるデジタルカメラにおいては、撮影時に取得した各分割領域ごとの合焦位置の情報を検索条件に利用することができる。
【０１０５】
この他、ユーザコメントを画像ファイルに付加する機能を備えたデジタルカメラにあっては、その付加したユーザコメントを検索条件に利用することもできる。
【０１０６】
次に、本発明が適用されたデジタルカメラの第２の実施の形態について説明する。
【０１０７】
上述した第１の実施の形態のデジタルカメラは、画像ファイルの検索機能を備えたデジタルカメラであったが、本実施の形態のデジタルカメラは、画像ファイルの分類機能を備えたデジタルカメラである。すなわち、撮影により得られた画像ファイルを所定の規則に従ってメモリカードの記録領域に作成されたフォルダに分類して格納する。
【０１０８】
分類は撮影により得られた画像ファイルの撮影データに基づいて行なわれる。ユーザは、撮影に際して画像ファイルの格納先を指定する。格納先となるフォルダはシーンごとに分類されており、ユーザは撮影目的に応じて格納先となるフォルダを選択する。撮影により得られた画像ファイルの撮影データが、ユーザが指定した格納先の格納条件を満足していれば、撮影により得られた画像ファイルはユーザが指定した格納先のフォルダに格納され、満足していなければ、規定のフォルダに格納される。
【０１０９】
以下、この第２の実施の形態のデジタルカメラの画像ファイルの分類機能について説明する。
【０１１０】
なお、デジタルカメラの構成自体は、上述した第１の実施の形態のデジタルカメラと同じなので、ここでは撮影により得られた画像ファイルを分類処理する手順についてのみ説明する。
【０１１１】
本実施の形態のデジタルカメラにおいて、画像ファイルを分類するか、しないかの設定は、任意に選択することができるものとし、画像ファイルを分類しない場合は、上述した第１の実施の形態のデジタルカメラと同様に撮影された画像ファイルは規定のフォルダに格納される。すなわち、図１２に示すように、ＤＣＦイメージルートフォルダ「ＤＣＩＭ」の直下に作成されたＤＣＦフォルダ「１００＿ＦＵＪＩ」に所定のファイル名を付与されて格納される。
【０１１２】
一方、画像ファイルを分類する場合は、ルートフォルダ「ＲＯＯＴ」の直下に作成されたシーンごとのフォルダ「人物」、「風景」、「夜景」、「マクロ」、「屋内」、「屋外」に所定のファイル名が付与されて格納される。
【０１１３】
この画像分類の設定及び格納先の設定は撮影メニューから呼び出される。すなわち、撮影モードの下でメニュー／ＯＫボタン４２を押すと、図１３（ａ）に示すように、モニタ３０に撮影メニューが表示され、この撮影メニューの中から「画像分類の設定」の項目を選択することにより、画像分類の設定機能が呼び出される。
【０１１４】
なお、メニュー項目の選択は、十字ボタン４６でカーソル（図１３に示す例では、選択した項目が白黒反転する）を移動させることにより行なわれ、選択したメニュー項目の確定は、メニュー／ＯＫボタン４２を押すことにより行なわれる。
【０１１５】
撮影メニューの中から「画像分類の設定」の項目が選択されると、図１３（ｂ）に示すように、画像分類の設定画面がモニタ３０に表示される。この画像分類の設定画面では、画像分類をする、しないの設定、及び、画像分類をする場合における、格納先のフォルダの設定が行なわれる。ここでは、格納先のフォルダが「人物」、「風景」、「夜景」、「マクロ」、「屋内」、「屋外」の６つのシーンが用意されている。ユーザは、このモニタ３０の表示に従って、画像分類をする、しないの選択、及び、格納先のフォルダの選択を行なう。
【０１１６】
選択は、十字ボタン４６でカーソル（図１３に示す例では、選択した項目が白黒反転する）を移動させることにより行なわれ、選択したシーンの確定は、メニュー／ＯＫボタン４２を押すことにより行なわれる。
【０１１７】
この画像分類の設定画面で「分類する」を選択し、格納先のフォルダを選択したのち、設定を終了すると、以後、設定された条件に従って画像ファイルが分類される。
【０１１８】
なお、設定の終了は、カーソルを「設定終了」のアイコンのところに移動させ、メニュー／ＯＫボタン４２を押すことにより行なわれる。
【０１１９】
図１４は、撮影により得られた画像ファイルの分類の処理の手順を示すフローチャートである。
【０１２０】
上記のように、撮影メニューから画像分類の設定画面が呼び出され、分類設定で「分類する」が選択されるとともに（ステップＳ２０）、格納先のフォルダが選択されると（ステップＳ２１）、ＣＰＵ１００は、選択されたフォルダの格納条件をＥＥＰＲＯＭ１０６から取得する（ステップＳ２２）。
【０１２１】
この分類条件は、図１４に示すように、格納先として選択可能な各フォルダごとに個別に定められており、画像ファイルのヘッダ部に記録される付属情報に基づき設定されている。すなわち、各フォルダに設定される分類条件は、各フォルダに設定されたシーンを撮影するときの一般的な撮影条件が設定されている。たとえば、人物（ポートレート）を撮影する場合は、レンズの焦点距離を長めに設定し（ズームをテレ側に設定し）、絞りを開放付近で撮影するので、「人物フォルダ」には、分類条件として「絞り値Ｆ４以下」、「焦点距離１１ｍｍ（撮像素子のサイズが１／１．７型の場合）以上」という条件が設定されている。また、たとえば、風景を撮影する場合は、レンズの焦点距離を短めに設定し（ズームをワイド側に設定し）、絞りを絞って撮影するので、「風景フォルダ」には、分類条件として「絞り値Ｆ８以上」、「焦点距離８ｍｍ（撮像素子のサイズが１／１．７型の場合）未満」という条件が設定されている。
【０１２２】
このように、選択可能なフォルダごとに撮影条件に基づく分類条件が設定され、ＥＥＰＲＯＭ１０６に記録されている。ＣＰＵ１００は、選択された格納先のフォルダに対応する分類条件をＥＥＰＲＯＭ１０６から取得する。
【０１２３】
ここでは、たとえば格納先のフォルダとして「風景フォルダ」が選択されたものとし、「風景フォルダ」に対応する分類条件（「絞り値Ｆ８以上」、「焦点距離８ｍｍ未満」）をＥＥＰＲＯＭ１０６から取得する。
【０１２４】
なお、画像ファイルを分類しない場合には、通常の画像ファイルの格納処理が行なわれる。すなわち、撮影により得られた画像ファイルは、ＤＣＦフォルダ「１００＿ＦＵＪＩ」に所定のファイル名を付与されて格納される。
【０１２５】
この後、撮影が行なわれると（ステップＳ２３）、ＣＰＵ１００は、撮影された画像に関する撮影データの中から分類に必要な情報を取得する（ステップＳ２４）。ここでは、分類条件に「絞り値」と「焦点距離」とが設定されているので、絞り値と焦点距離の情報を取得する。
【０１２６】
そして、取得した撮影データが、選択されたフォルダの格納条件に適合しているか否か判定する（ステップＳ２５）。ここでは、取得した絞り値と焦点距離とが、分類条件として設定された「絞り値Ｆ８以上」、「焦点距離８ｍｍ未満」という条件を満足するか否か判定する。
【０１２７】
たとえば、取得した画像の絞り値がＦ８で焦点距離が１０ｍｍの場合には、分類条件を満足していないと判定される。一方、取得した画像の絞り値がＦ８で焦点距離が６ｍｍの場合には、分類条件を満足していると判定される。
【０１２８】
そして、分類条件を満足していると判定した場合には、その画像ファイルを格納先として選択されたフォルダに格納する（ステップＳ２６）。
【０１２９】
一方、分類条件を満足していないと判定した場合には、規定のフォルダに画像ファイルを格納する（ステップＳ２７）。ここでは、画像ファイルを分類しない時の格納先として設定されたＤＣＦフォルダ「１００＿ＦＵＪＩ」に格納される。
【０１３０】
以上説明したように、本実施の形態のデジタルカメラでは、画像を撮影すると、撮影された画像が、格納先として指定されたフォルダの格納条件を満足しているか否か判定され、満足していると判定されると、指定されたフォルダに格納される。このように、画像を分類してメモリカード１５０に格納するため、撮影後の画像管理が容易になり、画像検索時も目的とする画像を素早く見つけ出すことができる。
【０１３１】
なお、本実施の形態のデジタルカメラにおいては、再生はフォルダ単位で行なうことができるものとし、これにより、さらに目的の画像を素早く見つけ出すことができるようになる。この場合、たとえば、カメラのモードを再生モードに設定すると、図１６に示すように、モニタ３０にフォルダの選択画面が表示され、再生するフォルダを選択するように構成する。
【０１３２】
なお、本実施の形態では、選択可能なフォルダとして「人物」、「風景」、「夜景」、「マクロ」、「屋内」、「屋外」の６項目を挙げているが、選択可能なフォルダとしてあらかじめ設定しておくフォルダは、これに限定されるものではなく、必要に応じて増減してもよい。たとえば、上記のフォルダのほか、ストロボ撮影された画像を格納する「ストロボフォルダ」や、スポーツ写真のように動きの激しい被写体を撮影した画像を格納する「スポーツフォルダ」など必要に応じて選択可能なフォルダを増減させてもよい。
【０１３３】
また、本実施の形態では、選択可能なフォルダを１つとしているが、複数のフォルダを選択できるようにしてもよい。たとえば、「人物」と「屋内」、「人物」と「屋外」というように、複数のフォルダを格納先として選択できるようにしてもよい。
【０１３４】
この場合、撮影により得られた画像ファイルは、選択した複数のフォルダの中から格納条件を満足するフォルダに格納されるが、複数のフォルダの格納条件を満足する場合には、各フォルダへの適合性の評価を実施し、最も適合性の高いフォルダに画像ファイルを格納するように設定する。
【０１３５】
以下、画像ファイルの格納先のフォルダとして複数のフォルダが選択された場合の画像分類の処理の手順について説明する。
【０１３６】
図１７は、画像ファイルの格納先のフォルダとして２つのフォルダが選択された場合の画像分類の処理の手順を示すフローチャートである。
【０１３７】
撮影メニューから画像分類の設定画面が呼び出されて、分類設定で「分類する」が選択され（ステップＳ３０）、格納先のフォルダとして複数のフォルダが選択されると（ステップＳ３１）、ＣＰＵ１００は、選択された複数のフォルダの格納条件をそれぞれＥＥＰＲＯＭ１０６から取得する（ステップＳ３２）。ここでは、格納先のフォルダとして「人物フォルダ」と「屋外フォルダ」とが選択されたものとし、「人物フォルダ」に対応する分類条件（「絞り値Ｆ４以下」、「焦点距離１１ｍｍ以上」）と、「屋外フォルダ」に対応する分類条件（「シャッタスピード１／６０以上」）をＥＥＰＲＯＭ１０６から取得する。
【０１３８】
この後、撮影が行なわれると（ステップＳ３３）、ＣＰＵ１００は、撮影された画像に関する撮影データから分類に必要な情報を取得する（ステップＳ３４）。ここでは、分類条件に「絞り値」、「焦点距離」、「シャッタスピード」が設定されているので、絞り値と焦点距離とシャッタスピードの情報を取得する。
【０１３９】
そして、取得した撮影データが、少なくとも一方のフォルダの格納条件を満足しているか否かが判定される（ステップＳ３５）。ここでは、取得した絞り値、焦点距離が、「人物フォルダ」の分類条件として設定された「絞り値Ｆ４以下」、「焦点距離１１ｍｍ以上」という条件を満足するか、あるいは、取得したシャッタスピードが「屋外フォルダ」の分類条件として設定された「シャッタスピード１／６０以上」という条件を満足するか判定する。
【０１４０】
この結果、双方のフォルダの分類条件を満足していないと判定された場合には、規定のフォルダに画像ファイルが格納される（ステップＳ３６）。
【０１４１】
これに対して、少なくとも一方のフォルダの分類条件を満足していると判定された場合には、次に、一方のフォルダ（「人物フォルダ」）の分類条件のみを満足しているか否かが判定される（ステップＳ３７）。
【０１４２】
ここでは、取得した撮影データが「人物フォルダ」の分類条件（「絞り値Ｆ４以下」、「焦点距離１１ｍｍ以上」）のみを満足するかが判定される。たとえば、撮影された画像の絞り値がＦ４、焦点距離が１５ｍｍ、シャッタースピードが１／３０の場合、「人物フォルダ」の分類条件は満足するが、「屋外フォルダ」の分類条件は満足しないので、「人物フォルダ」の分類条件のみを満足すると判定される。
【０１４３】
この結果、一方のフォルダ（「人物フォルダ」）の分類条件のみを満足し、他方のフォルダ（「屋外フォルダ」）の分類条件は満足していないと判定された場合には、一方のフォルダ（「人物フォルダ」）に画像ファイルが格納される（ステップＳ３８）。
【０１４４】
これに対して、一方のフォルダ（「人物フォルダ」）の分類条件のみを満足していないと判定された場合には、次に、他方のフォルダ（「屋外フォルダ」）の分類条件のみを満足しているか否かが判定される（ステップＳ３９）。
【０１４５】
ここでは、取得した撮影データが「屋外フォルダ」の分類条件（シャッタスピード１／６０以上）のみ満足するかが判定される。たとえば、撮影された画像の絞り値がＦ８、焦点距離が１５ｍｍ、シャッタースピードが１／１００の場合、「屋外フォルダ」の分類条件は満足するが、「人物フォルダ」の分類条件は満足しないので、「屋外フォルダ」の分類条件のみを満足すると判定される。
【０１４６】
この結果、他方のフォルダ（「屋外フォルダ」）の分類条件のみを満足し、一方のフォルダ（「人物フォルダ」）の分類条件は満足していないと判定された場合には、他方のフォルダ（「屋外フォルダ」）に画像ファイルが格納される（ステップＳ４０）。
【０１４７】
一方、他方のフォルダ（「屋外フォルダ」）の分類条件のみを満足していないと判定された場合は、双方のフォルダの分類条件を満たしている場合なので、いずれか一方のフォルダに格納すべく適合性の評価が行なわれ（ステップＳ４１）、いずれのフォルダへの適合性が高いかが判定される（ステップＳ４２）。
【０１４８】
適合性の評価は、たとえば各フォルダごとに第２の格納条件を設け、その第２の格納条件を満足するか否かで評価する。たとえば、「人物フォルダ」であれば、第２の格納条件として「絞り値がＦ２．８以下」、「屋外フォルダ」であれば、第２の格納条件として「ホワイトバランス（色温度）が晴天（５５００Ｋ以上）」という条件を設定する。この第２の格納条件はＥＥＰＲＯＭ１０６に記憶しておくものとする。
【０１４９】
この結果、一方のフォルダ（「人物フォルダ」）への適合性が高いと判定された場合には、一方のフォルダ（「人物フォルダ」）に画像ファイルが格納され（ステップＳ３８）、他方のフォルダ（「屋外フォルダ」）への適合性が高いと判定された場合には、他方のフォルダ（「屋外フォルダ」）に画像ファイルが格納される（ステップＳ４０）。
【０１５０】
このように、複数のフォルダを格納先に指定し、各フォルダの格納条件を満足する場合には、各フォルダへの適合性を評価し、最も適合性の高いフォルダに画像ファイルを格納する。
【０１５１】
なお、適合性の評価には、種々の方法を用いることができるものとし、使用するデジタルカメラや取得可能な撮影情報に応じて適宜設定することが好ましい。
【０１５２】
また、図１５に示した各フォルダの格納条件は一例であり、上述した第１の実施の形と同様に使用するデジタルカメラに応じて適宜変更して設定することが好ましい。この場合、より詳細に格納条件を設定することにより、より精度よく画像ファイルを分類することができる。したがって、画像ファイルに付加される撮影データ（撮影時の露出時間やＦナンバー、露出プログラム、スペクトル感度、ＩＳＯスピードレート、光電変換関数、シャッタスピード、絞り値、輝度値、露出補正値、レンズ最小Ｆ値、被写体距離、測光方式、光源、フラッシュ、レンズ焦点距離、フラッシュ強度、空間周波数応答、焦点面の幅の解像度、焦点面の高さの解像度、焦点面解像度単位、被写体位置、露出インデックス、センサー方式、ファイルソース、シーンタイプ、ＣＦＡパターン等）を有効に利用して各フォルダの格納条件を設定することが好ましい。
【０１５３】
また、上述した第１の実施の形態と同様に特有の撮影機能を備えたデジタルカメラの場合には、その撮影機能の情報を取得して、画像ファイルの分類に利用してもよい。
【０１５４】
たとえば、被写体ごとに専用の撮影モードを備えたデジタルカメラの場合には、使用した撮影モードの情報を取得し、その情報を利用して画像を分類してもよい。たとえば、図１５に示した「人物フォルダ」の分類条件に「又は、撮影モードが人物撮影モード」という条件を新たに加える。この場合、格納先のフォルダとして「人物フォルダ」が選択されると、「絞り値Ｆ４以下」、「焦点距離１１ｍｍ以上」という条件を満足するか、あるいは、「撮影モードが人物撮影モード」という条件を満足する画像ファイルが「人物フォルダ」に格納される。
【０１５５】
また、たとえば画面の特定のエリアを複数の領域に分割し、それぞれの領域で合焦位置を検出することができるデジタルカメラの場合には、撮影時に分割した各領域での合焦位置の情報を取得し、その情報を利用して画像ファイルを分類していもよい。たとえば、図１５に示した「風景フォルダ」の分類条件に「又は、各分割エリアの合焦位置がｘ以上（ｘは無限遠側の所定の位置）」という条件を新たに加える。この場合、格納先のフォルダとして「風景フォルダ」が選択されると、「絞り値Ｆ８以上」、「焦点距離８ｍｍ未満」という条件を満足するか、あるいは、「各分割エリアの合焦位置がｘ以上」という条件を満足する画像ファイルが「風景フォルダ」に格納される。また、たとえば、図１５に示した「風景フォルダ」の格納条件に「又は、各分割エリアの合焦位置のバラツキが一定値以下」という条件を新たに加える。この場合、格納先フォルダとして「風景フォルダ」が選択されると、「絞り値Ｆ８以上」、「焦点距離８ｍｍ未満」という条件を満足するか、あるいは、「各分割エリアの合焦位置のバラツキが一定値以下」という条件を満足する画像ファイルが「風景フォルダ」に格納される。
【０１５６】
なお、上述した一連の実施の形態では、本発明をデジタルカメラに適用した場合を例に説明したが、本発明の適用はこれに限定されるものではなく、撮影機能を備えた携帯電話機やＰＤＡ等にも同様に適用することができる。
【０１５７】
また、画像ファイルの検索機能については、再生機能のみを備えた再生専用の装置にも同様に適用することができる。
【０１５８】
また、画像ファイルの検索機能と分類機能の双方の機能を１つのデジタルカメラに備えさせることも可能である。
【図面の簡単な説明】
【０１５９】
【図１】デジタルカメラの正面斜視図
【図２】デジタルカメラの背面斜視図
【図３】デジタルカメラの内部の回路構成を示すブロック図
【図４】Ｅｘｉｆ形式の画像ファイルの構成を示す図
【図５】Ｅｘｉｆ形式の画像ファイルに書き込まれる付属情報の一覧を示す図
【図６】メモリカードの記録領域に作成されるフォルダ構造を示す図
【図７】画像検索設定時におけるモニタの表示例を示す図
【図８】画像検索の処理の手順を示すフローチャート
【図９】各検索シーンに設定される検索条件の一例を示す図
【図１０】画像検索の結果を表示する場合におけるモニタの表示例を示す図
【図１１】画面を複数の領域に分割して合焦位置を検出する場合の説明図
【図１２】メモリカードの記録領域に作成されるフォルダ構造を示す図
【図１３】画像分類の設定時におけるモニタの表示例を示す図
【図１４】画像ファイルの分類の処理の手順を示すフローチャート
【図１５】各フォルダに設定される分類条件の一例を示す図
【図１６】再生するフォルダを設定する場合におけるモニタの表示例を示す図
【図１７】複数のフォルダが選択された場合における画像ファイルの分類の処理の手順を示すフローチャート
【符号の説明】
【０１６０】
１０…デジタルカメラ、１２…カメラボディ、１４…レンズ、２６…レリーズボタン、２８…電源ボタン、３０…モニタ、３４…ストロボボタン、３６…マクロボタン、３８…ズームレバー、４０…表示ボタン、４２…メニュー／ＯＫボタン、４４…ＢＡＣＫボタン、４６…十字ボタン、４８…モードスイッチ、１００…中央処理装置（ＣＰＵ）、１０２…バス、１０４…ＲＯＭ、１０６…ＥＥＰＲＯＭ、１０８…メモリ（ＳＤＲＡＭ）、１１０…ＶＲＡＭ、１１２…操作部、１１８…絞り／シャッタユニット、１２４…撮像素子（ＣＣＤ）、１２６…タイミングジェネレータ（ＴＧ）、１２８…アナログ信号処理回路、１３０…Ａ／Ｄ変換器、１３２…画像入力コントローラ、１３４…画像信号処理回路、１３６…ビデオエンコーダ、１３８…ＡＥ／ＡＷＢ検出回路、１４０…ＡＦ検出回路、１４２…絞り駆動部、１４４…レンズ駆動部、１４６…圧縮伸張処理回路、１４８…メディアコントローラ、１５０…メモリカード、１５２…文字ＭＩＸ回路
【図１】
2005210411.tif 000003
【図２】
2005210411.tif 000004
【図３】
2005210411.tif 000005
【図４】
2005210411.tif 000006
【図５】
2005210411.tif 000007
【図６】
2005210411.tif 000008
【図７】
2005210411.tif 000009
【図８】
2005210411.tif 000010
【図９】
2005210411.tif 000011
【図１０】
2005210411.tif 000012
【図１１】
2005210411.tif 000013
【図１２】
2005210411.tif 000014
【図１３】
2005210411.tif 000015
【図１４】
2005210411.tif 000016
【図１５】
2005210411.tif 000017
【図１６】
2005210411.tif 000018
【図１７】
2005210411.tif 000019